【事件の表示】
　特願２００１−　８６４６１「画像表示装置の列電極駆動回路及びそれを用いた画像表示装置」拒絶査定不服審判事件〔平成１４年　３月２２日出願公開、特開２００２−　８２６４５〕について、次のとおり審決する。
【結　論】
　本件審判の請求は、成り立たない。
【理　由】
第１　手続の経緯
　本願は、平成１２年６月１９日にされた出願（特願２０００−１８３８４２号）に基づく優先権を主張して平成１３年３月２３日にされた特許出願（特願２００１−８６４６１号）であって、平成１７年５月１７日付け（発送日：同年５月１９日）で拒絶査定がなされ、これに対して、同年６月２０日に拒絶査定不服審判請求がなされるとともに、同年７月２０日付けで明細書を補正対象とする手続補正書（以下、この手続補正書による補正を「平成１７年７月２０日付け補正」といい、また「本件補正」ともいう。）が提出されたものである。 
　
第２　補正の却下の決定
１　補正の却下の決定の結論
　平成１７年７月２０日付け補正を却下する。
　
２　補正の却下の決定の理由
（１）本件補正の内容
　本件補正は、特許請求の範囲を次のように補正するものである。
　
ア　本件補正前の特許請求の範囲
　「【請求項１】　複数の階調レベルに対応した複数の基準電圧レベルの電圧を発生する基準電圧発生手段と、
　前記複数の階調レベルのうちの１つに対応した基準電圧レベルを選択し、前記選択された基準電圧レベルの信号をデータ線に出力する出力手段と、
　前記基準電圧発生手段と前記出力手段とを接続するための複数の電圧配線であって、複数の第１配線と少なくとも１つの第２配線とを含む複数の電圧配線と
　を備え、
　前記複数の第１配線の数は、前記複数の階調レベルの数に応じて決定されており、
　前記複数の第１配線には、前記複数の基準電圧レベルがわりあてられており、
　前記少なくとも１つの第２配線の数は、前記第１の色の階調レベルと前記第２の色の階調レベルと前記第３の色の階調レベルとの違いに基づいて決定されており、
　前記少なくとも１つの第２配線には、前記第１の色の階調レベルと前記第２の色の階調レベルと前記第３の色の階調レベルとの違いに対応した少なくとも１つの基準電圧レベルがわりあてられている、列電極駆動回路。
【請求項２】
　複数の階調レベルのうちの１つの階調レベルに対応した前記第１の色の基準電圧レベルと、前記１つの階調レベルに対応した前記第２の色の基準電圧レベルと、前記１つの階調レベルに対応した前記第３の色の基準電圧レベルとのずれを補間するために、前記少なくとも１つの第２配線の数が決定されている、請求項１に記載の列電極駆動回路。
【請求項３】
　前記第１の色の階調レベル-輝度特性と、前記第２の色の階調レベル-輝度特性と、前記第３の色の階調レベル-輝度特性とが同じになるように、前記複数の基準電圧レベルは前記複数の階調レベルに対応している、請求項１または請求項２に記載の列電極駆動回路。
【請求項４】
　前記第１の色、前記第２の色および前記第３の色は、赤、緑および青である、請求項１に記載の列電極駆動回路。
【請求項５】
　前記第１の色、前記第２の色および前記第３の色は、シアン、マゼンダ、およびイエローである、請求項１に記載の列電極駆動回路。
【請求項６】
　請求項１〜請求項５のいずれかに記載の列電極駆動回路を有する画像表示装置。」
　
イ　本件補正後の特許請求の範囲
　「【請求項１】　
データ線に印加される電圧によって各画素に印加される電圧が制御されて、相互に異なる第１の色と第２の色と第３の色の輝度が、それぞれの色毎に設定されたｍ個（ｍは２以上の整数）の階調レベルに基づいて設定されることによってカラー表示が行なわれる画像表示装置において、前記データ線を駆動するために設けられた列電極駆動回路であって、　前記第２の色の輝度を設定するために、最小輝度に対応する第１番目の階調レベルから最大輝度に対応する第ｍ番目までの階調レベルまでのそれぞれの
ｍ個
第１
　
前記第２の色の輝度を設定するために、前記ｍ個の第１基準電圧レベルから、
ｍ個
第１
第１
前記
　前記基準電圧発生手段と前記出力手段とを接続するため
に設けられており
ｍ個
第１
それぞれ割り当てられたｍ本
　前記第１の色の階調レベル−輝度特性と、前記第２の色の階調レベル−輝度特性とは、前記第２の色の第ｎ番目（ｎは正の整数）の階調レベルによって設定される輝度値が、前記第１の色の前記ｍ個の階調レベルの第（ｎ＋ｘ）番目（ｘは正の整数）の階調レベルによって設定される輝度値に一致する程度の最大のずれがあり、
前記基準電圧発生手段は、第１番目の階調レベルに対応する第１基準電圧レベルと第２番目の階調レベルに対応する第１基準電圧レベルとの間に、それぞれの第１基準電圧レベルを補間するｘ個の第２基準電圧レベルを発生する構成であり、
前記第２配線はｘ本であって、該第２配線に前記第２基準電圧レベルがそれぞれ割り当てられており、
前記出力手段は、前記第１の色の輝度を設定するために、ｘ本の前記第２配線に割り当てられた第２基準電圧レベルと、第（ｍ−１）番目または第（ｍ−ｘ）番目〜第（ｍ−１）番目の階調レベルのそれぞれに対応する第１基準電圧レベルを除く（ｍ−ｘ）個の第１基準電圧レベルとから選択して前記データ線に出力することを特徴とする画像表示装置の
【請求項２】
　前記第３の色の階調レベル−輝度特性と、前記第２の色の階調レベル−輝度特性とは、前記第２の色の最小輝度から第ｎ番目（ｎは正の整数）の階調レベルによって設定される輝度値が、前記第３の色の前記複数の階調レベルの第（ｎ−ｙ）番目（ｙは正の整数）の階調レベルによって設定される輝度値に一致する程度の最大のずれがあり、
前記基準電圧発生手段は、第ｍ番目の階調レベルに対応する第１基準電圧レベルと第（ｍ−１）番目の階調レベルに対応する第１基準電圧レベルとの間に、それぞれの第１基準電圧レベルを補間するｙ個の第３基準電圧レベルを発生する構成であり、
前記電圧配線は、ｙ本の第３配線を有し、該第３配線に前記第３基準電圧レベルがそれぞれ割り当てられており、
前記出力手段は、前記第３の色の輝度を設定するために、ｙ本の前記第３配線に割り当てられた第３基準電圧レベルと、第２番目または第２番目〜第（１＋ｙ）番目の階調レベルのそれぞれに対応する第１基準電圧レベルを除く（ｍ−ｙ）個の第１基準電圧レベルとから選択して前記データ線に出力する、請求項１に記載の画像表示装置の列電極駆動回路。
それぞれ、
【請求項４】　前記第１の色、前記第２の色および前記第３の色は、シアン、マゼンダ、およびイエローである、請求項１に記載の列電極駆動回路。
【請求項５】　請求項１〜請求項
３
　
　なお、アンダーラインは、補正箇所を示すために請求人が付したものである。また、本願明細書について、平成１７年１月２５日付けで手続き補正がなされたが、これは平成１７年５月１７日付けで却下されたので、本件補正前の特許請求の範囲は上記のとおりとなる。
　
（２）本件補正についての判断 
　本件補正の請求項１についての補正は、請求項１に係る発明を特定するために必要な事項である「第２配線」について、本件補正前の請求項１では、その数を、「前記少なくとも１つの第２配線の数は、前記第１の色の階調レベルと前記第２の色の階調レベルと前記第３の色の階調レベルとの違いに基づいて決定されており」と記載し、第１ないし第３の３つの色の階調レベルの違いに基づいて決定されるものとしていたのを、本件補正後の請求項１では、第２配線の数として記載された「前記第２配線はｘ本」について、「前記第１の色の階調レベル−輝度特性と、前記第２の色の階調レベル−輝度特性とは、前記第２の色の第ｎ番目（ｎは正の整数）の階調レベルによって設定される輝度値が、前記第１の色の前記ｍ個の階調レベルの第（ｎ＋ｘ）番目（ｘは正の整数）の階調レベルによって設定される輝度値に一致する程度の最大のずれがあり」と記載することにより、第２配線の数である「ｘ」を、第１と第２の２つの色の階調レベル−輝度特性との関係により特定するものとしているから、補正後の「第２配線」は、補正前に３つの色の階調レベルの違いに基づいて決定されていた数の第２の配線をさらに限定して記載したものには該当せず、本件補正は、上記「第２配線」についての技術事項を変更する内容を含むものである。
　したがって、請求項１についての上記補正は、平成１８年法律第５５号による改正前の特許法（以下、単に「特許法」という。）第１７条の２第４項第２号の特許請求の範囲の減縮（請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）を目的とするものであるとは認められない。
　また、平成１６年１１月２５日付けの拒絶理由通知では、理由Ｂとして請求項１についての記載不備を指摘しているが、上記補正のように、３つの色の階調レベルの違いに基づいて決定されていた第２の配線の数を、２つの色の階調レベル−輝度特性との関係により特定するものに変更する補正は明りょうでない記載の釈明に該当するものではなく、当該補正は、軽微な補正であるともいえないから、請求項１についての上記補正は、特許法第１７条の２第４項第４号の明りょうでない記載の釈明を目的とするものであるとも認められない。
　さらに、当該補正は特許法第１７条の２第４項第１号の請求項の削除及び同項第３号の誤記の訂正を目的とするものであるとも認められない。
　したがって、本件補正は、特許法第１７条の２第４項各号に掲げる何れの事項を目的とするものではない補正を含むから、同項の規定に適合するものであるとはいえない。
　
（３）本件補正についてのまとめ
　以上のとおり、本件補正は，特許法１７条の２第４項の規定に違反するものであり、同法１５９条１項において読み替えて準用する同法５３条１項の規定により却下すべきものである。
　
第３　本願発明
　平成１７年７月２０日付け補正は上記のとおり却下したので、本願の請求項１ないし６に係る発明は、平成１６年９月２７日付けの手続補正書により補正された明細書の特許請求の範囲の請求項１ないし６に記載された事項により特定されるとおりのものであると認められるところ、本願の請求項１に係る発明（以下「本願発明」という。）は次のとおりのものである。
　
　「【請求項１】　複数の階調レベルに対応した複数の基準電圧レベルの電圧を発生する基準電圧発生手段と、
　前記複数の階調レベルのうちの１つに対応した基準電圧レベルを選択し、前記選択された基準電圧レベルの信号をデータ線に出力する出力手段と、
　前記基準電圧発生手段と前記出力手段とを接続するための複数の電圧配線であって、複数の第１配線と少なくとも１つの第２配線とを含む複数の電圧配線と
　を備え、
　前記複数の第１配線の数は、前記複数の階調レベルの数に応じて決定されており、
　前記複数の第１配線には、前記複数の基準電圧レベルがわりあてられており、
　前記少なくとも１つの第２配線の数は、前記第１の色の階調レベルと前記第２の色の階調レベルと前記第３の色の階調レベルとの違いに基づいて決定されており、
　前記少なくとも１つの第２配線には、前記第１の色の階調レベルと前記第２の色の階調レベルと前記第３の色の階調レベルとの違いに対応した少なくとも１つの基準電圧レベルがわりあてられている、列電極駆動回路。」
　
第４　引用例
　原査定の拒絶の理由である、平成１６年１１月２５日付け拒絶理由通知書に記載した理由Ａにおいて引用された、本願の出願前に頒布された刊行物である特開平２−２７１３８９号公報（以下「引用例」という。）には、図面とともに、次の事項が記載されている。
　
１　「（１）　赤の階調データ、緑の階調データ、青の階調データを、カラー液晶パネルの画素配列に対応して順次ドライバへ供給してカラー画像を得るフルカラー液晶表示装置において、
　デジタルのカラー階調データが入力され、
　その赤の階調データで読み出される赤画素用電圧補正テーブルと、
　緑の階調データで読み出される緑画素用電圧補正テーブルと、
　青の階調データで読み出される青画素用電圧補正テーブルと、
　これら電圧補正テーブルから読み出されたデータをアナログ信号に変換して上記ドライバへ供給するＤ／Ａコンバータとを有し、
　上記各電圧補正テーブルは上記カラー液晶パネルの液晶輝度−階調データ特性が直線的となるように階調データを補正するフルカラー液晶表示装置。」（特許請求の範囲）
　
２　「「発明が解決しようとする課題」
　赤、緑、青の各画素で構成されたカラー液晶パネル１６によってフルカラー表示を行う場合は、各画素に印加する電圧を制御する必要があるが、その印加電圧と液晶輝度との関係は第６図に示すように非線形であり、かつ赤（Ｒ）、緑（Ｇ）、青（Ｂ）によりその特性曲線がやゝ異っている。
従って、従来のフルカラー液晶表示装置のように復調した各色の階調データをアナログ系で増幅して液晶印加電圧を得る方式においては色ずれせずに、つまり赤、緑、青の輝度比が一定でかつ液晶輝度−階調データ特性が直線的になるように補正することは困難であった。
　この発明の目的は色ずれのない、直線的な液晶輝度−階調データ特性を実現し、表示品質の優れたフルカラー画像表示を可能とするフルカラー液晶表示装置を提供することにある。
「課題を解決するための手段」
　この発明によればデジタルのカラー階調データが入力され、その赤の階調データにより赤画素用電圧補正テーブルが読み出され、緑の階調データにより緑画素用電圧補正テーブルが読み出され、青の階調データにより青画素用電圧補正テーブルが読み出され、これら電圧補正テーブルから読み出されたデータはＤ／Ａコンバータによりアナログ信号に変換されてカラー液晶パネルのドライバへ供給される。各電圧補正テーブルはカラー液晶パネルの液晶輝度−階調データ特性が直線的となるように階調データを補正する。
「実施例」
　第１図にこの発明の実施例を示す。デジタルのカラー階調データはＣＰＵ２１で生成され、そのデータはビデオＲＡＭ２２に貯えられる。ビデオＲＡＭ２２は表示制御回路２３により制御されて、カラー液晶パネル１６の画素配列順に、赤の階調データ、緑の階調データ、青の階調データが順次読み出される。
　ビデオＲＡＭ２２から読み出された階調データは例えば４ビツトであってアドレスＡ０〜Ａ３として電圧補正テーブル２４へ供給される。電圧補正テーブル２４へ供給される階調データが赤、緑、青の何れであるかを示すＲＧＢコードが表示制御回路２３からアドレスＡ４、Ａ５として電圧補正テーブル２４へ供給される。電圧補正テーブル２４から読み出されたデータは例えば８ビットであって液晶輝度−階調データ特性が直線的となるように階調データを補正したものであり、このデータはＤ／Ａコンバータ２５でアナログ信号に変換されてＸドライバ１７へ供給される。
　電圧補正テーブル２４の構成例を第２図に示す。赤画素用テーブル、緑画素用テーブル、青画素用テーブルが設けられ、これらテーブルの１つがＲＧＢコードＡ４、Ａ５により選択され、その時供給される階調データＡ０〜Ａ３によりその選択されたテーブルが読み出される。各テーブルの補正データは液晶輝度−階調データ特性が第３図に示すように直線的になるように決められている。
　アナログのカラーテレビジョン信号をカラー表示する装置にこの発明を適用した例を第４図に第５図と対応する部分に同一符号を付けて示す。ＲＧＢスイッチング回路１４からの赤の階調データ、緑の階調データ、青の階調データの直列データはＡ／Ｄコンバータ２６により各４ビットのデジタル階調データに変換され、そのデジタル階調データはアドレスとして電圧補正テーブル２４へ供給される。電圧補正テーブル２４には同期制御回路１５からＲＧＢコードがアドレスとして供給される。電圧補正テーブル２４からの補正されたデータはＤ／Ａコンバータ２５によりアナログ信号に変換されてＸドライバ１７へ供給される。
「発明の効果」
以上述べたようにこの発明によれば電圧補正テーブルを設けることにより、色ずれのない、直線的な階調表示を実現できる。」（２ページ左上欄８行−３ページ左上欄１行）
　
３　図面の第２図には、赤画素用テーブル、緑画素用テーブル及び青画素用テーブルの内容が示されており、これらの各テーブルの内容から、３つのテーブルの変換後のデータには、多数の共通するデータが含まれていることを読み取ることができ、具体的には、３つのテーブルに共通の変換後のデータとして５つのデータ（８８，ＡＢ，ＡＥ，Ｂ１，Ｂ３）が記載され、同様にして、赤画素用テーブルと緑画素用テーブルに共通の変換後のデータとして７個のデータ（Ａ５等）が記載され、緑画素用テーブルと青画素用テーブルに共通の変換後のデータとして２つのデータ（Ｂ７等）が記載され、各テーブルに独立のデータとして１５個のデータ（Ａ３等）が記載され、変換後のデータの数は２９個となっていることが読み取れる。
　
４　図面の第１図及び第４図には、カラー液晶パネル１６の列方向の画素を駆動するドライバとして、Ｘドライバ１７が描かれている。
　
　上記摘記事項（１）ないし（４）によると、引用例には、次の発明（以下「引用発明」という。）が記載されているものと認められる。
　
　「複数の階調レベルに対応したカラー階調データが供給され、液晶輝度−階調データ特性が直線的となるように補正したデータを読み出す電圧補正テーブル２４と、電圧補正テーブル２４から読み出されたデータをアナログ信号に変換してＸドライバ１７に供給するＤ／Ａコンバータ２５と、カラー液晶パネル１６の列方向の画素を駆動するＸドライバ１７を備え、上記電圧補正テーブル２４には、変換後のデータとして共通するデータが多数含まれるカラー液晶パネル１６の駆動回路」
　
第５　対比
　本願発明と引用発明とを対比する。
１　引用発明の「複数の階調レベル」は、本願発明の「複数の階調レベル」に相当する。
２　引用発明の「電圧補正テーブル２４」には、「複数の階調レベル」が入力され、「Ｄ／Ａコンバータ２５」からは、「複数の階調レベル」に対応したアナログ信号が出力され、出力されたアナログ信号が、Ｘドライバ１７により各画素に印加する電圧となるのであるから、引用発明の「Ｄ／Ａコンバータ２５」は、複数の電圧レベルの電圧を発生する機能を有しているということができ、引用発明の「電圧補正テーブル２４」及び「Ｄ／Ａコンバータ２５」は、本願発明の「複数の階調レベルに対応した複数の基準電圧レベルの電圧を発生する基準電圧発生手段」と、「複数の階調レベルに対応した複数の電圧レベルの電圧を発生する電圧発生手段」である点で共通する。
３　同様にして、引用発明の「電圧補正テーブル２４」には、「複数の階調レベル」が入力され、「Ｄ／Ａコンバータ２５」からは、「複数の階調レベル」に対応したアナログ信号が出力されるから、引用発明の「Ｄ／Ａコンバータ２５」は、複数の階調レベルに対応した電圧レベルの信号を出力する機能も有しているということができ、また、「カラー液晶パネル１６」には、本願発明の「データ線」に相当するものが存在し、引用発明の「Ｘドライバ１７」から階調データの信号が出力される配線は「データ線」であるといえるから、引用発明の「Ｄ／Ａコンバータ２５」及び「Ｘドライバ１７」は、本願発明の「前記複数の階調レベルのうちの１つに対応した基準電圧レベルを選択し、前記選択された基準電圧レベルの信号をデータ線に出力する出力手段」と、「前記複数の階調レベルのうちの１つに対応した電圧レベルの信号をデータ線に出力する出力手段」である点で共通する。
４　引用発明の「電圧補正テーブル２４」，「Ｄ／Ａコンバータ２５」及び「Ｘドライバ１７」からなる回路は、本願発明の「列電極駆動回路」に相当する。
　
　以上の対比関係から、本願発明と引用発明とは、以下の一致点で一致し、以下の相違点で相違する。
　
（一致点）
　「複数の階調レベルに対応した複数の電圧レベルの電圧を発生する電圧発生手段と、
　前記複数の階調レベルのうちの１つに対応した電圧レベルの信号をデータ線に出力する出力手段と、
　を備える列電極駆動回路。」
　
（相違点）
　本願発明の「電圧発生手段」が、「複数の基準電圧レベルの電圧を発生する基準電圧発生手段」であり、本願発明の「出力手段」が、「複数の基準電圧レベルから選択した基準電圧レベルの信号」を出力するように構成され、本願発明が「前記基準電圧発生手段と前記出力手段とを接続するための複数の電圧配線であって、複数の第１配線と少なくとも１つの第２配線とを含む複数の電圧配線を備え、前記複数の第１配線の数は、前記複数の階調レベルの数に応じて決定されており、前記複数の第１配線には、前記複数の基準電圧レベルがわりあてられており、前記少なくとも１つの第２配線の数は、前記第１の色の階調レベルと前記第２の色の階調レベルと前記第３の色の階調レベルとの違いに基づいて決定されており、前記少なくとも１つの第２配線には、前記第１の色の階調レベルと前記第２の色の階調レベルと前記第３の色の階調レベルとの違いに対応した少なくとも１つの基準電圧レベルがわりあてられている」のに対し、引用発明は、そのような構成を具備しない点。
　
第６　当審の判断
　上記相違点について検討する。
　Ｄ／Ａコンバータの技術分野において、予め必要な種類の基準電圧を用意し、入力されたデータに応じてその中の１つを選択して出力することは、例えば、特開平８−６５１６４号公報に「Ｎ階調を実現する最も基本的な手法は、Ｎ種類の基準電圧を用意し、表示データの階調に応じてその中の１つを選択するというものである。」（段落【０００４】）と記載されるごとく従来周知であり、その具体的手段として、それぞれの基準電圧と出力手段との間を電圧配線で接続することも、例えば、特開平９−２９４０７２号公報に「【０００２】【従来の技術】以下で従来例に係るＤ／Ａコンバータについて説明する。このＤ／Ａコンバータは、４ビットのディジタルデータをアナログ変換する、いわゆる抵抗ストリング方式のＤ／Ａコンバータであって、図４に示すように、同じ抵抗値を有する抵抗（Ｒ）が接地電位（ＧＮＤ）と基準電圧（Ｖｒｅｆ）との間に直列接続されてなり、これらの抵抗の接続点にそれぞれ当該回路の出力となるアナログスイッチ（ａ１〜ａ１６）が設けられている。【０００３】ディジタルデータはこのＤ／Ａコンバータには直接入力されず、図５に示すような変換表によって変換された結果が図４のアナログスイッチ（ａ１〜ａ１６）に入力され、アナログスイッチ（ａ１〜ａ１６）のうちいずれか１つのみがＯＮし、ＯＮしたアナログスイッチが当該Ｄ／Ａコンバータの出力となって、ディジタルデータに対応したアナログ電圧が外部機器に出力されることになる。【０００４】例えばディジタルデータ“００１０”をＤ／Ａ変換する際には、図５の変換表によりアナログスイッチ（ａ３）のみがＯＮして、他のアナログスイッチはみなＯＦＦしていることになる。この変換表に基づいて図４のアナログスイッチ（ａ３）のみをＯＮさせると、当該回路の出力は図４のＢ点の電位となる。このとき、Ｂ点の電位は基準電圧（Ｖｒｅｆ）が１４：２に分圧された電圧が出力される。この電圧は４ビットのディジタルデータ“００１０”に対応したアナログ信号であり、これが外部にアナログ信号として出力されることになる。【０００５】同様にして“１１１１”をアナログ変換する際には図５に基づいてアナログスイッチ（ａ１６）のみをＯＮさせて基準電圧（Ｖｒｅｆ）を１：１５に分圧してアナログ信号に変換し、“０００１”をアナログ変換する際には図５よりアナログスイッチ（ａ２）のみをＯＮさせて基準電圧（Ｖｒｅｆ）を１５：１に分圧することでアナログ変換することができる。【０００６】図４に示すように、このＤ／Ａコンバータは４ビットであって、２の４乗で１６種類のアナログ電圧を生成する必要上、基準電圧（Ｖｒｅｆ）を分圧する抵抗も、基準電圧（Ｖｒｅｆ）を１６分割するために１６個必要になる。このため抵抗の数に対応してアナログスイッチ（ａ１〜ａ１６）も１６個必要になる。」と記載され、図４に電圧配線が図示されているごとく従来周知である。
　引用発明の「Ｄ／Ａコンバータ２５」についても、上記周知のＤ／Ａコンバータの構成を採用し、「Ｄ／Ａコンバータ２５」に入力されるデータに対して予め必要な種類の基準電圧を用意することにより、「複数の階調レベルに対応した複数の基準電圧レベルの電圧を発生する基準電圧発生手段」を構成し、Ｄ／Ａコンバータの出力を複数の基準電圧から選択して出力するものとすることにより、「基準電圧レベルを選択し、前記選択された基準電圧レベルの信号をデータ線に出力する出力手段」を構成し、「基準電圧発生手段」と「出力手段」との間を「複数の電圧配線」で接続することに格別の困難性はない。
　また、各基準電圧と出力手段とを接続する「複数の電圧配線」について、引用発明に上記周知のＤ／Ａコンバータの構成を採用したときには、上記「第４　３」で第２図について摘記したように、引用例の各色毎に設けられたテーブルの変換後のデータには多数の共通するデータが認められ、同じデータに対しては同じ基準電圧を使用すればよいのであるから、例えば、緑画素用テーブルによる変換後のデータに対応して設けられた基準電圧と出力手段とを接続する電圧配線を、本願発明の「第１配線」に相当するとしたときには、赤画素用テーブルと青画素用テーブルによる変換後のデータのうち、前記緑画素用テーブルによる変換後のデータと重複しないデータに対応して設けられた基準電圧と出力手段とを接続する電圧配線が、本願発明の「第２配線」に相当するものとなるのであり、言い換えると、本願発明における「第１配線」及び「第２配線」は、「電圧配線」という技術手段として何等相違するものではなく、わりあてられる基準電圧レベルに応じて便宜的にそのように区別されたに過ぎないものであり、引用発明に上記周知のＤ／Ａコンバータの構成を採用したときに、予め必要な種類の基準電圧を準備し、それぞれの基準電圧と出力手段を電圧配線で接続することにより、本願発明の「前記複数の第１配線の数は、前記複数の階調レベルの数に応じて決定されており、前記複数の第１配線には、前記複数の基準電圧レベルがわりあてられており」及び「前記少なくとも１つの第２配線の数は、前記第１の色の階調レベルと前記第２の色の階調レベルと前記第３の色の階調レベルとの違いに基づいて決定されており、前記少なくとも１つの第２配線には、前記第１の色の階調レベルと前記第２の色の階調レベルと前記第３の色の階調レベルとの違いに対応した少なくとも１つの基準電圧レベルがわりあてられている」と同等の構成が得られるのであるから、引用発明に上記周知技術を適用して、相違点に係る構成とすることに格別の困難性はない。
　
　そして、本願発明の奏する効果も、引用例の記載及び周知技術に基づいて当業者が予測可能な範囲内のものである。
　したがって、本願発明は、引用発明及び周知技術に基づいて当業者が容易に発明をすることができたものである。
　
第７　むすび
　以上のとおりであるから、本願の請求項１に係る発明は、特許法第２９条第２項の規定によって特許を受けることができないものである。
　そして、請求項１に係る発明が特許を受けることができないものであるから、その余の請求項に係る発明について論及するまでもなく、本願は、拒絶すべきものである。
　よって、結論のとおり審決する。